(57)【要約】【課題】粉末薬剤投与器において、通路の設定自由度を高める。【解決手段】粉末薬剤投与器１において、本体部２に、穿孔４ａが開口する通路としての横穴８ｂ１と、穿刺針５をガイドするガイド孔２ａとがそれぞれ別個に形成された。【選択図】図１０
2008148842.tif 000002
【特許請求の範囲】
【請求項１】
本体部に進退可能に支持された穿刺針が当該本体部内に収容されたカプセルに突き刺されて当該カプセルに穿孔が形成され、カプセル内の粉末薬剤が本体部内に形成された通路および排出口を経由して空気とともに本体部外に送出される粉末薬剤投与器において、
前記本体部に、前記穿孔が開口する通路と、前記穿刺針をガイドするガイド孔とがそれぞれ別個に形成されることを特徴とする粉末薬剤投与器。
【請求項２】
前記穿刺針の中心軸とカプセルの中心軸とがねじれの位置にあることを特徴とする請求項１に記載の粉末薬剤投与器。
【請求項３】
前記本体部に、前記穿孔より下流側で粉末薬剤と空気とが攪拌される攪拌室が形成されることを特徴とする請求項１または２に記載の粉末薬剤投与器。
【発明の詳細な説明】
【技術分野】
【０００１】
本発明は、粉末薬剤投与器に関する。
【背景技術】
【０００２】
従来、種々の粉末薬剤投与器が提案されている。特許文献１には、その一例としての粉末薬剤投与器が開示される。
【０００３】
特許文献１にかかる粉末薬剤投与器は、本体部に進退可能に支持された穿刺針が当該本体部内に収容されたカプセルに突き刺されて当該カプセルに穿孔が形成され、カプセル内の粉末薬剤が本体部内に形成された通路および排出口を経由して空気とともに本体部外に送出されるように構成されている。
【０００４】
そして、この粉末薬剤投与器では、穿刺針を進退可能にガイドするガイド孔が通路として利用されている。
【特許文献１】特許第３５３０００４号公報
【発明の開示】
【発明が解決しようとする課題】
【０００５】
しかしながら、上記公報の粉末薬剤投与器では、ガイド孔が通路として利用される分、本体部内における通路の設定自由度が損なわれてしまい、通路の流通抵抗が増大したり、粉末薬剤と空気とを良好に攪拌しにくくなったりする場合があった。
【０００６】
そこで、本発明は、粉末薬剤投与器において、通路の設定自由度を高めることを目的とする。
【課題を解決するための手段】
【０００７】
上記目的を達成するために、請求項１の発明は、粉末薬剤投与器において、上記本体部に、上記穿孔が開口する通路と、上記穿刺針をガイドするガイド孔とがそれぞれ別個に形成されたことを趣旨とする。
【０００８】
また、請求項２の発明は、上記穿刺針の進退方向とカプセルの中心軸とがねじれの位置にある構成となっている。
【０００９】
また、請求項３の発明は、上記本体部に、上記穿孔より下流側で粉末薬剤と空気とが攪拌される攪拌室が形成されたものである。
【発明の効果】
【００１０】
請求項１の発明によれば、上記通路とガイド孔とがそれぞれ別個に形成される分、通路の設定自由度を増大することができ、流通抵抗を低減しやすくなる上、粉末薬剤と空気との攪拌を促進させやすくなる。
【００１１】
請求項２の発明によれば、穿孔が長穴状に形成されることになり、その分、穿刺針の中心軸がカプセルの中心軸を通って穿孔が円形状となる場合に比べて穿孔の開口面積がより大きくなって、穿孔における流通抵抗を減らすことができる。
【００１２】
請求項３の発明によれば、上記攪拌室において粉末薬剤と空気との攪拌が促進される分、粉末薬剤の患部到達性が向上するとともに、粉末薬剤投与器内に粉末薬剤が残存するのを抑制することができる。
【発明を実施するための最良の形態】
【００１３】
以下、本発明を具現化した一実施形態について図面を参照して説明する。図１は、本実施形態にかかる粉末薬剤投与器の外観を示す斜視図、図２は、粉末薬剤投与器を排出口側から見た正面図、図３は、粉末薬剤投与器を排出口の反対側から見た背面図、図４は、図２のＡ−Ａ断面図、図５は、図２のＢ−Ｂ断面図、図６は、粉末薬剤投与器にカプセルが装着された状態における図１のＡ−Ａ断面図、図７は、粉末薬剤投与器にカプセルが装着された状態における図１のＢ−Ｂ断面図、図８は、カプセルに穿刺針が突き刺された状態における図１のＡ−Ａ断面図、図９は、カプセルに突き刺された穿刺針が抜かれた状態における図１のＡ−Ａ断面図、図１０は、カプセルに突き刺された穿刺針が抜かれた状態における図１のＢ−Ｂ断面図、図１１は、穿刺針によって穿孔が形成されたカプセルの斜視図である。なお、以下では、粉末薬剤投与器を経肺投薬器として実施した場合について例示する。また、以下では、便宜上、排出口２ｂ側を正面側、導入開口２ｄ側を背面側と称し、図２、図３、および図５を基準として上下方向を規定することとし、各図中、上側をＵＰ、右側（本体部２から見て可動部６側）をＲＨ、正面側をＦＲと記す。
【００１４】
本実施形態にかかる粉末薬剤投与器１は、図１〜図３に示されるように、本体部２と、本体部２の背面側を塞ぐキャップ３と、本体部２内に装着されたカプセル４（図６〜図１１参照）を突き刺す穿刺針５を有する可動部６とを備えている。図４に示されるように、可動部６には略平行で略同一長さの二つの穿刺針５，５が設けられており、これら穿刺針５，５は本体部２に形成された筒状のガイド孔２ａ，２ａ内に嵌挿され、このガイド孔２ａ，２ａの内壁によって進退可能に保持されている。
【００１５】
そして、略円筒状に形成された本体部２には、その中心軸Ｃｂに沿って排出口２ｂの反対側に向けて開口する有底円筒状の内孔２ｃが形成されており、この内孔２ｃに、カプセル４を保持するカプセルホルダ７が挿入されるようになっている。
【００１６】
カプセルホルダ７には、半円筒状の凹部７ａが形成されており、図６や図７等に示されるように、カプセル４がこの凹部７ａに嵌め込まれた状態で内孔２ｃに挿入されることで、カプセル４が粉末薬剤投与器１内の所定位置にセットされるようになっている。そして、この状態で可動部６が進退されるとカプセル４に穿孔４ａ（図８〜図１１参照）が形成され、カプセル４内の粉末薬剤Ｐが排出可能な状態となる。
【００１７】
このとき、図５に示されるように、凹部７ａに装着されたカプセル４の中心軸Ｃｃ（本実施形態では凹部７ａの周壁の中心軸）と、穿刺針５の中心軸Ｃｎとが、ねじれの位置（すなわち、これら中心軸同士が平行でなくかつ交わらない状態）となるように構成されており、これにより、カプセル４の側壁に中心軸Ｃｃから上または下にずれた位置で穿刺針５が斜めに突き刺さって、図１１に示すように、穿孔４ａが長穴状になる。本実施形態では、図５に示すように、カプセル４の中心軸Ｃｃを本体部２の中心軸Ｃｂより上方にずらすとともに、穿刺針５の中心軸Ｃｎが本体部２の中心軸Ｃｂを通るように設定することで、かかる構成を具現化している。
【００１８】
本体部２内には、背面側の導入開口２ｄから正面側の排出口２ｂに至る通路８ａ，８ｂが形成されており、そのうちの少なくとも一つの通路８ａ（８ａ１，８ａ２）は、導入開口２ｄからカプセル４の内部空間４ｂを経由することなく攪拌室１０に至り、排出口２ｂへと連通している。
【００１９】
また、別の通路８ｂは、導入開口２ｄからカプセル４の内部空間４ｂを経由して排出口２ｂに至っている。より詳しく説明すると、まず、図６および図７に示されるように、カプセルホルダ７の下側には、穿刺針５に対応して二つの切欠部７ｂが形成されており、カプセルホルダ７が内孔２ｃの所定位置に挿入されると、この切欠部７ｂに対応して内孔２ｃ内に半環状の連通空間９が形成されるようになっている。そして、図８〜図１０に示されるように、可動部６の作動によって穿孔４ａが形成されると、この穿孔４ａを介して連通空間９とカプセル４の内部空間４ｂとが連通される。
【００２０】
これら連通空間９，９には、対応する穿刺針５を受け容れる断面長穴状の横穴８ｂ１がそれぞれ連通する。そして、正面側の横穴８ｂ１には、正面側で本体部２の中心軸Ｃｂと平行に伸びる縦穴８ｂ２が連通し、背面側の横穴８ｂ１には背面側で本体部２の中心軸Ｃｂと平行に伸びる縦穴８ｂ２が連通している。また、各連通空間９の下方にはそれぞれ横穴８ｂ３が形成されており、正面側の横穴８ｂ３には正面側で本体部２の中心軸Ｃｂと平行に伸びる縦穴８ｂ４が連通し、背面側の横穴８ｂ３には背面側で本体部２の中心軸Ｃｂと平行に伸びる縦穴８ｂ４が連通している。なお、本実施形態では、連通空間９および横穴８ｂ１が、穿孔４ａが開口する通路に相当する。
【００２１】
そして、正面側の縦穴８ｂ２，８ｂ４は、それぞれ横穴８ｂ５を介して攪拌室１０に連通している。攪拌室１０は略円筒状の内壁面１０ａを有しており、当該内壁面１０ａの接線方向に沿って横穴８ｂ５が接続されることで、横穴８ｂ５からの流れが内壁面１０ａに沿って旋回するようにしてある。そして、この攪拌室１０に排出口２ｂが接続されている。排出口２ｂは、下流側（正面側）に向けてラッパ状に拡開している。なお、通路８ａの横穴８ａ２も、内壁面１０ａの接線方向に沿って接続されている。
【００２２】
このように、通路８ｂは、穿孔４ａが形成されると、図９および図１０に示されるように、導入開口２ｄから、縦穴８ｂ２（または８ｂ４）、横穴８ｂ１（または８ｂ３）、連通空間９、および穿孔４ａの各部を経由して内部空間４ｂに至り、さらに、穿孔４ａ、連通空間９、横穴８ｂ１（または８ｂ３）、および縦穴８ｂ２（または８ｂ４）の各部を経由して攪拌室１０に至り、排出口２ｂへと連通することになる。
【００２３】
また、キャップ３には、図３に示されるように、略十字状のリブ３ａの間に開口部３ｂが形成されている。また、図４，図５等に示されるように、キャップ３と本体部２との間にはオリフィスプレート１１が挟持されており、オリフィスプレート１１を適宜に交換することによって流通抵抗を容易に可変設定できるようになっている。なお、本実施形態では、キャップ３には雌ねじ部３ｃが形成される一方、本体部２の背面側の端部には雄ねじ部２ｅが形成され、キャップ３が本体部２に螺結されるようになっている。
【００２４】
ここで、本実施形態にかかる粉末薬剤投与器１の動作について、図６〜図１１を参照しながら説明する。まず、カプセル４が本体部２内にセットされた状態（図６および図７）で、可動部６を手指等で動かすことによって、図８に示されるように穿刺針５をカプセル４に突き刺すと、カプセル４の側壁に穿孔４ａが形成される。次に、図９〜図１１に示されるように引き抜くと、穿孔４ａを介してカプセル４の内部空間４ｂと連通空間９とが連通される。このとき、粉末薬剤Ｐの一部は、内部空間４ｂから当該穿孔４ａを介して通路８ｂ内に零れ出る。この状態で、排出口２ｂ側から吸引が行われると、導入開口２ｄから通路８ｂを介して排出口２ｂに向かう空気流が生じ、この空気流によって粉末薬剤Ｐが運搬されるとともに、通路８ｂの各部や攪拌室１０で粉末薬剤Ｐと空気との攪拌が促進されて、排出口２ｂから粉末薬剤Ｐと空気の混合流が排出される。
【００２５】
以上の本実施形態によれば、通路８ａ，８ｂとガイド孔２ａとがそれぞれ別個に形成される分、通路８ａ，８ｂの設定自由度を増大することができ、流通抵抗を低減しやすくなる上、粉末薬剤Ｐと空気との攪拌を促進させやすくなる。
【００２６】
また、本実施形態によれば、カプセル４に穿孔４ａが長穴状に形成されることになり、その分、穿刺針がカプセルの側壁に真横から突き刺さって穿孔が円形状となる場合に比べて穿孔４ａの開口面積がより大きくなって、穿孔４ａにおける空気や粉末薬剤Ｐの流通抵抗を減らすことができる。
【００２７】
また、本実施形態によれば、攪拌室１０において粉末薬剤Ｐと空気との攪拌が促進される分、粉末薬剤Ｐの患部到達性が向上するとともに、粉末薬剤投与器１内に粉末薬剤Ｐが残存するのを抑制することができる。
【００２８】
なお、本発明は、次のような別の実施形態に具現化することができる。以下の別の実施形態でも上記実施形態と同様の作用および効果を得ることができる。
【００２９】
（１）上記実施形態では、経肺投薬器として実施した場合を例示したが、他の投薬器としても実施可能である。また、吸引式投薬器に限らず、加圧式投薬器としても、本発明は実施可能である。
【００３０】
（２）また、上記実施形態では、二つの穿刺針の中心軸をカプセルの中心軸に対して同じ側に配置したが、二つの穿刺針の中心軸をカプセルの中心軸に対して相異なる側に配置してもよい。
【００３１】
また、上記実施形態から把握し得る請求項以外の技術思想について、以下にその効果と共に記載する。
【００３２】
（イ）請求項１〜３のうちいずれか一つに記載の粉末薬剤投与器では、カプセルには複数の穿孔が形成されるのが好適である。
【００３３】
こうすれば、カプセル内の粉末薬剤が排出されやすくなり、粉末薬剤の患部到達性が向上するとともに、粉末薬剤投与器内に粉末薬剤が残存するのを抑制することができる。
【００３４】
（ロ）上記（イ）に記載の粉末薬剤投与器では、複数の穿孔のうち少なくとも一つが通路を介して導入開口および排出口のうち導入開口のみに連通し、少なくとも他の一つが別の通路を介して導入開口および排出口のうち排出口のみに連通するのが好適である。
【００３５】
こうすれば、導入開口からカプセルの内部空間を経由して排出口に至る通路が形成されることになり、カプセルの内部空間から粉末薬剤をより効率良く排出することが可能となる。
【図面の簡単な説明】
【００３６】
【図１】本発明の実施形態にかかる粉末薬剤投与器の外観を示す斜視図である。
【図２】本発明の実施形態にかかる粉末薬剤投与器を排出口側から見た正面図である。
【図３】本発明の実施形態にかかる粉末薬剤投与器を排出口の反対側から見た背面図である。
【図４】図２のＡ−Ａ断面図である。
【図５】図２のＢ−Ｂ断面図である。
【図６】本発明の実施形態にかかる粉末薬剤投与器のカプセルが装着された状態における図１のＡ−Ａ断面図である。
【図７】本発明の実施形態にかかる粉末薬剤投与器のカプセルが装着された状態における図１のＢ−Ｂ断面図である。
【図８】本発明の実施形態にかかる粉末薬剤投与器のカプセルに穿刺針が突き刺された状態における図１のＡ−Ａ断面図である。
【図９】本発明の実施形態にかかる粉末薬剤投与器のカプセルに突き刺された穿刺針が抜かれた状態における図１のＡ−Ａ断面図である。
【図１０】本発明の実施形態にかかる粉末薬剤投与器のカプセルに突き刺された穿刺針が抜かれた状態における図１のＢ−Ｂ断面図である。
【図１１】本発明の実施形態にかかる粉末薬剤投与器で穿孔が形成されたカプセルの斜視図である。
【符号の説明】
【００３７】
１  粉末薬剤投与器
２  本体部
２ａ  ガイド孔
２ｂ  排出口
４  カプセル
４ａ  穿孔
５  穿刺針
６  可動部
８ａ，８ｂ  通路
８ｂ１  横穴（穿孔が開口する通路）
９  連通空間（穿孔が開口する通路）
１０  攪拌室
Ｃｎ  （穿刺針の）中心軸
Ｃｃ  （カプセルの）中心軸
Ｐ  粉末薬剤
【図１】
2008148842.tif 000003
【図２】
2008148842.tif 000004
【図３】
2008148842.tif 000005
【図４】
2008148842.tif 000006
【図５】
2008148842.tif 000007
【図６】
2008148842.tif 000008
【図７】
2008148842.tif 000009
【図８】
2008148842.tif 000010
【図９】
2008148842.tif 000011
【図１０】
2008148842.tif 000012
【図１１】
2008148842.tif 000013